(57)【要約】【課題】ＶｏＩＰ端末と公衆電話網端末の間で音声通話をする際に、呼の確立を確実に行う通信システムを提供する。【解決手段】ＶｏＩＰ端末から公衆網端末へ発信する際、ＩＰ選択部６はＩＰ記憶部８格納されているデータを参照し、正常稼動している呼制御サーバのなかで、優先順位の最も高いものを受発信部４へ通知する。受発信部４はＩＰ選択部６より通知された呼制御サーバに対して呼の送信を行う。次に、呼制御部１４が呼を受信する。ここで、呼制御部１４は代理記憶部１６またはＩＤ記憶部１０の情報を参照して、正常稼動している呼接続サーバのなかで、優先順位の最も高いものを呼制御部１４へ通知する。呼制御部１４は取得したアドレスを参照して、接続部２２へ呼を転送する。接続部２２が呼を受信したら、ＶｏＩＰ用の呼から公衆電話網用の呼に変換を行い、公衆電話網へ発信する。【選択図】図２
2006157368.tif 000002
【特許請求の範囲】
【請求項１】
複数の呼制御サーバとＩＰ網を介して接続されたＶｏＩＰ端末であって、
ＩＰ網から呼を受信したり、ＩＰ網へ呼を発信したりする受発信部と、
各呼制御サーバのＩＰアドレスを記憶するＩＰ記憶部と、
前記ＩＰ記憶部に登録されているＩＰアドレスを参照して前記呼制御サーバが稼動しているか確認すると共に呼制御サーバが稼動している場合にのみＶｏＩＰ端末からの呼を発信許可するＩＰ選択部とからなり、
ユーザがＶｏＩＰ端末から呼を発信する場合に、前記選択部で発信が許可されているいずれか１つの呼制御サーバへ発信することを特徴とするＶｏＩＰ端末。
【請求項２】
ユーザのＶｏＩＰ端末とＩＰ網を介して接続されたＶｏＩＰ通信サブシステムであって、
ユーザのＩＤとユーザのＶｏＩＰ端末のＩＰアドレスを格納するＩＤ記憶部と、
前記ＩＤ記憶部の情報を一時的に格納する代理記憶部と、
一定期間ごとに前記ＩＤ記憶部の情報を取得して前記複数の代理記憶部へ前記情報を更新する同期部と、
ＩＰ網から呼を受信したら、呼のユーザの情報を前記ＩＤ記憶部に登録したり、呼のユーザの情報が前記ＩＤ記憶部に格納されていて前記代理記憶部に格納されていない場合に呼のユーザの情報を前記代理記憶部に格納したり、前記代理記憶部に格納されている情報から送信先のＶｏＩＰ端末を特定して当該ＶｏＩＰ端末へ呼を転送したりする呼制御部とからなり、
前記呼制御部がＩＰ網から呼を受信したら、呼の送信先であるユーザのＩＤが前記代理記憶部に格納されているか確認し、ユーザのＩＤが前記代理記憶部に格納されていない場合は、前記ＩＤ記憶部からユーザの情報を取得して前記代理記憶部に格納すると共にユーザのＶｏＩＰ端末へ呼を転送することを特徴とするＶｏＩＰ通信サブシステム。
【請求項３】
ユーザの公衆網端末と公衆回線を介して接続されたＶｏＩＰゲートウェイであって、
公衆電話網から公衆回線の呼が着信したら呼をＶｏＩＰ回線の呼に変換してＩＰ網へ発信したり、ＩＰ網からＶｏＩＰ回線の呼が着信したら呼を公衆回線の呼に変換して公衆電話網へ発信したり、障害が発生した公衆回線の情報を前記ＩＤ記憶部に登録したりする接続部と、
前記複数の呼制御部のＩＰアドレスを記憶するＩＰ記憶部と、
前記ＩＰ記憶部に登録されているＩＰアドレスを参照して前記呼制御部が稼動しているか確認すると共に前記呼制御部が稼動している場合にのみ前記接続部からの呼を発信許可するＩＰ選択部とからなり、
公衆電話網から公衆回線の呼を受信した場合に、前記接続部によってＶｏＩＰ回線の呼に変換し、変換した呼を前記ＩＰ選択部によって選択された前記呼制御部へ呼を転送することを特徴とするＶｏＩＰゲートウェイ。
【請求項４】
ユーザの公衆網端末と公衆回線を介して接続され、公衆電話網から公衆回線の呼が着信したら呼をＶｏＩＰ回線の呼に変換してＩＰ網へ発信し、かつＩＰ網からＶｏＩＰ回線の呼が着信したら呼を公衆回線の呼に変換して公衆電話網へ発信する複数のＶｏＩＰゲートウェイと、ＩＰ網を介して前記ＶｏＩＰゲートウェイに接続され、呼を受信したらＶｏＩＰ端末へ呼を転送する複数の呼制御サーバと、前記呼制御サーバに接続され、ＩＰ網から呼を受信したり、ＩＰ網へ呼を発信したりするＶｏＩＰ端末とから成るＶｏＩＰ通信システムにおいて、
前記ＶｏＩＰゲートウェイが公衆電話網から公衆回線の呼を受信した場合に、ＶｏＩＰ回線の呼に変換し、変換した呼を選択された前記呼制御サーバへ呼を転送し、前記呼制御サーバは呼をＶｏＩＰ端末に転送し、前記ＶｏＩＰ端末は前記呼制御サーバの稼動を確認し稼動している前記呼制御サーバに呼を発信することを特徴とするＶｏＩＰ通信システム。
【発明の詳細な説明】
【技術分野】
【０００１】
本発明は、  自動ルーティング機能を備えたＩＰ電話に関し、特に、ＩＰ網および公衆網で障害が発生したときに通信可能な経路を選択して呼を確立することができるＶｏＩＰ（音声通話）通信システムに関する。
【背景技術】
【０００２】
近年、ＩＰ網（インターネット網）を利用した音声通話（以下、ＶｏＩＰという）は公衆電話網を利用した音声通話と比べて低価格化が進んでいるため、ＶｏＩＰを利用したいという状況がある。
【０００３】
一方、インターネットはその性質上、ある通信経路が故障している場合でも迂回して通信をすることができる。このインターネットのメリットを障害時に活用したいところである。
【発明の開示】
【発明が解決しようとする課題】
【０００４】
しかしながら、音声通話を行う際に、呼制御サーバが何らかの原因で障害を発生している場合や、通信経路上のネットワークの負荷が高い場合などは、公衆網による音声通話に比べて不安定であるという問題点がある。
【０００５】
本発明は、上記の事情を考慮して、呼の確立を確実に行うＶｏＩＰ通信システムを提供することを目的とする。
【課題を解決するための手段】
【０００６】
請求項１の本発明は、複数の呼制御サーバとＩＰ網を介して接続されたＶｏＩＰ端末であって、ＩＰ網から呼を受信したり、ＩＰ網へ呼を発信したりする受発信部と、各呼制御サーバのＩＰアドレスを記憶するＩＰ記憶部と、前記ＩＰ記憶部に登録されているＩＰアドレスを参照して前記呼制御サーバが稼動しているか確認すると共に呼制御サーバが稼動している場合にのみＶｏＩＰ端末からの呼を発信許可するＩＰ選択部とからなり、ユーザがＶｏＩＰ端末から呼を発信する場合に、前記選択部で発信が許可されているいずれか１つの呼制御サーバへ発信することを特徴とするＶｏＩＰ端末である。
【０００７】
請求項１の本発明によれば、ユーザがＶｏＩＰ端末から呼を発信する際に、ＩＰ選択部はＩＰ記憶部に記憶されているＩＰアドレスのデータを参照して稼動している呼制御サーバを確認すると共にＩＰ選択部は稼動している呼制御サーバのなかで予め指定されている優先順位にしたがって呼制御サーバへ呼の発信許可をする。受発信部は発信許可されている呼制御サーバへ呼を発信する。
【０００８】
請求項２の本発明は、ユーザのＶｏＩＰ端末とＩＰ網を介して接続されたＶｏＩＰ通信システムであって、ユーザのＩＤとユーザのＶｏＩＰ端末のＩＰアドレスを格納するＩＤ記憶部と、前記ＩＤ記憶部の情報を一時的に格納する代理記憶部と、一定期間ごとに前記ＩＤ記憶部の情報を取得して前記複数の代理記憶部へ前記情報を更新する同期部と、ＩＰ網から呼を受信したら、呼のユーザの情報を前記ＩＤ記憶部に登録したり、呼のユーザの情報が前記ＩＤ記憶部に格納されていて前記代理記憶部に格納されていない場合に呼のユーザの情報を前記代理記憶部に格納したり、前記代理記憶部に格納されている情報から送信先のＶｏＩＰ端末を特定して当該ＶｏＩＰ端末へ呼を転送したりする呼制御部とからなり、前記呼制御部がＩＰ網から呼を受信したら、呼の送信先であるユーザのＩＤが前記代理記憶部に格納されているか確認し、ユーザのＩＤが前記代理記憶部に格納されていない場合は、前記ＩＤ記憶部からユーザの情報を取得して前記代理記憶部に格納すると共にユーザのＶｏＩＰ端末へ呼を転送することを特徴とするＶｏＩＰ通信システムである。
【０００９】
請求項２の本発明によれば、呼制御部がＩＰ網から呼を受信した場合に、代理記憶部に記憶されているＩＤのデータを参照して呼の送信先であるユーザのＩＤが登録されているか確認する。代理記憶部にユーザのＩＤが登録されている場合には、代理記憶部に記憶されているユーザの送信先ＩＰアドレスを参照して送信する。代理記憶部にユーザのＩＤが登録されていない場合には、ＩＤ記憶部から適合するユーザの情報を取得して代理記憶部に格納すると共にユーザのＶｏＩＰ端末のＩＰアドレスを参照して呼を送信する。
【００１０】
請求項３の本発明は、ユーザの公衆網端末と公衆回線を介して接続されたＶｏＩＰゲートウェイであって、公衆電話網から公衆回線の呼が着信したら呼をＶｏＩＰ回線の呼に変換してＩＰ網へ発信したり、ＩＰ網からＶｏＩＰ回線の呼が着信したら呼を公衆回線の呼に変換して公衆電話網へ発信したり、障害が発生した公衆回線の情報を前記ＩＤ記憶部に登録したりする接続部と、前記複数の呼制御部のＩＰアドレスを記憶するＩＰ記憶部と、前記ＩＰ記憶部に登録されているＩＰアドレスを参照して前記呼制御部が稼動しているか確認すると共に前記呼制御部が稼動している場合にのみ前記接続部からの呼を発信許可するＩＰ選択部とからなり、公衆網から公衆回線の呼を受信した場合に、前記接続部によってＶｏＩＰ回線の呼に変換し、変換した呼を前記ＩＰ選択部によって選択された前記呼制御部へ呼を転送することを特徴とするＶｏＩＰゲートウェイである。
【００１１】
請求項３の本発明によれば、接続部が公衆電話網から公衆回線の呼を受信した場合に、公衆回線の呼をＶｏＩＰ回線の呼に変換する。呼を変換した後、ＩＰ選択部はＩＰ記憶部に記憶されているＩＰアドレスのデータを参照して稼動している呼制御部を確認すると共に稼動している呼制御部のなかであらかじめ指定されている優先順位にしたがって呼制御部を選択する。接続部は選択部により発信許可されている呼制御部へ呼を発信する。また、障害等により使用できない公衆回線についての情報をＩＤ記憶部に通知する。
【００１２】
請求項４の発明は、ユーザの公衆網端末と公衆回線を介して接続され、公衆電話網から公衆回線の呼が着信したら呼をＶｏＩＰ回線の呼に変換してＩＰ網へ発信し、かつＩＰ網からＶｏＩＰ回線の呼が着信したら呼を公衆回線の呼に変換して公衆電話網へ発信する複数のＶｏＩＰゲートウェイと、ＩＰ網を介して前記ＶｏＩＰゲートウェイに接続され、呼を受信したらＶｏＩＰ端末へ呼を転送する複数の呼制御サーバと、前記呼制御サーバに接続され、ＩＰ網から呼を受信したり、ＩＰ網へ呼を発信したりするＶｏＩＰ端末とから成るＶｏＩＰ通信システムにおいて、前記ＶｏＩＰゲートウェイが公衆電話網から公衆回線の呼を受信した場合に、ＶｏＩＰ回線の呼に変換し、変換した呼を選択された前記呼制御サーバへ呼を転送し、前記呼制御サーバは呼をＶｏＩＰ端末に転送し、前記ＶｏＩＰ端末は前記呼制御サーバの稼動を確認し稼動している前記呼制御サーバに呼を発信することを特徴とするＶｏＩＰ通信システムである。
【００１３】
請求項４の発明によれば、前記ＶｏＩＰゲートウェイが公衆電話網から公衆回線の呼を受信した場合に、ＶｏＩＰ回線の呼に変換し、変換した呼を選択された前記呼制御サーバへ呼を転送する。呼制御サーバは呼をＶｏＩＰ端末に転送する。ＶｏＩＰ端末は呼制御サーバの稼動を確認し稼動している前記呼制御サーバに呼を発信する。
【発明の効果】
【００１４】
請求項１の本発明によれば、ＶｏＩＰ端末は正常稼動している呼制御サーバを自動的に判別することができるので、障害が発生している呼制御サーバへ呼を発信することを回避できる。ゆえに、いづれかの呼制御サーバに障害が発生していても、ユーザは何も気にすることなくＶｏＩＰによる音声通話を行うことができる。
【００１５】
請求項２の本発明によれば、ＤＢサーバにより公衆回線の情報を一定期間毎に各呼制御サーバに対して更新しているので、呼制御サーバは障害が発生している公衆回線に対して発信することを回避することができる。同様に、ユーザの情報も一定期間毎に各呼制御サーバに対して更新しているので、ある呼制御サーバに障害が発生しても、それ以外の呼制御サーバで呼の転送を行うことができる。
【００１６】
請求項３の本発明によれば、ＶｏＩＰゲートウェイは正常稼動している呼制御サーバを自動的に判別することができるので、障害が発生している呼制御サーバへ呼を発信することを回避できる。ゆえに、いずれかの呼制御サーバに障害が発生していても、公衆回線の端末とＶｏＩＰ端末は音声通話を行うことができる。
【００１７】
請求項４の発明によれば、障害が発生している呼制御サーバへ呼を発信することを回避できる。
【発明を実施するための最良の形態】
【００１８】
以下、添付図面に従って本発明の実施の形態について詳述する。本形態のＶｏＩＰの音声通話通信システムは、ＶｏＩＰ端末、ＶｏＩＰ通信サブシステム、およびＶｏＩＰゲートウェイ（呼接続サーバ）からなる。
【００１９】
図１は、ＶｏＩＰの音声通話通信システムの全体を示した概念図である。図１において、ＶｏＩＰ端末３は、ＩＰ網へ呼を発信する際に、障害が発生している呼制御サーバ１３やネットワーク２００の障害が発生している通信経路を回避して呼制御サーバ１３へ呼を発信するものである。
【００２０】
ＶｏＩＰ通信システムは、一部の呼制御サーバ１３やネットワーク２００の通信経路に障害が発生した場合にも、正常稼動している呼制御サーバ１３や通信可能なネットワークを経由して、ユーザのＶｏＩＰ端末３からの呼を制御することで、安定してＶｏＩＰによる音声通話を実現するものである。
【００２１】
ＶｏＩＰゲートウェイ（呼接続サーバ）１７は、公衆電話網１００から受信した公衆網の呼をＶｏＩＰの呼に変換してＩＰ網へ送信し、ＩＰ網から受信したＶｏＩＰの呼を公衆網の呼に変換して公衆網へ送信するものである。
図２は、インターネット網の図示を省略してＶｏＩＰ通信システムの構成を示したブロック図である。図２において、ＶｏＩＰ通信システムはＤＢサーバ９と呼制御サーバ１３から構成され、ＶｏＩＰの総通信システム２は、さらに、呼接続サーバ１７と、ＶｏＩＰ端末３を含んでいる。ＶｏＩＰ端末３は、受発信部４、ＩＰ選択部６、ＩＰ記憶部８からなる。
【００２２】
受発信部４は、インターネット回線と接続していて情報の受発信の窓口となる機能を有している。ここでの情報とは、ＶｏＩＰの呼および音声データを指す。ＩＰ選択部６は、ＶｏＩＰの呼を送信する際にＩＰ記憶部８に記憶されているＩＰアドレスを参照して各呼制御サーバが稼動しているか確認すると共に稼動している呼制御サーバの中で最も優先順位の高い呼制御サーバへ呼の送信の許可を与えている。
【００２３】
ＤＢサーバ９のＩＤ記憶部１０は、ユーザのＩＤとユーザのＶｏＩＰ端末のＩＰアドレスおよび障害が発生した公衆回線の情報を格納する。
【００２４】
ＤＢサーバ９の同期部１２は、ＩＤ記憶部１０に格納されている情報を定期的に呼制御サーバ１３の代理記憶部１６へ更新する。
【００２５】
呼制御サーバ１３の呼制御部１４は、ＩＰ網から受信した呼のユーザＩＤを解析し、ユーザＩＤをキーとして代理記憶部１６に格納されている情報を参照し、送信先のアドレスを求める。代理記憶部１６に送信先のユーザＩＤが格納されていない場合は、ＩＤ記憶部１０に格納されている情報からユーザＩＤをキーとしてユーザ情報を取得して送信先アドレスを求めた後、ユーザ情報を代理記憶部１６に格納する。求めた送信先アドレスを参照して、受信した呼の転送を行う。
【００２６】
呼接続サーバ１７の接続部２２は、公衆電話網１００の公衆回線およびインターネット網２００（図１参照）のインターネット回線と接続していて情報の受発信の窓口となる機能を有している。ここでの情報とは、公衆網の呼、ＶｏＩＰの呼、音声データを指す。
【００２７】
呼接続サーバ１７のＩＰ選択部２０は、ＩＰ網へＶｏＩＰの呼を送信する際にＩＰ記憶部１８に記憶されているＩＰアドレスを参照して各呼制御サーバ１７が稼動しているか確認すると共に稼動している呼制御サーバ１７の中で最も優先順位の高い呼制御サーバ１７へ呼の送信の許可を与えている。
【００２８】
ＶｏＩＰ通信を行う場合の前提として、各ユーザのＩＤとＶｏＩＰ端末のＩＰアドレス等をＤＢサーバ９のＩＤ記憶部１０に事前登録しておく。
【００２９】
実際にＶｏＩＰの総通信システム２を用いて音声通話を行う場合を図３、４を参照しつつ説明する。
【００３０】
通信可能媒体には、１．固定電話・携帯電話・ＰＨＳ等による公衆網端末、２．ＩＰ網上にあるＶｏＩＰ端末、がある。
【００３１】
図３は、公衆網端末からＶｏＩＰ端末へ発信する際の手順を示したフローチャートである。図３において、まず、公衆網端末から公衆電話網１００を介してＶｏＩＰ端末３へ発信する（ステップＳ２４）。次に、呼接続サーバ１７の接続部２２へ着信が入る（ステップＳ２５）。ここで、公衆電話網用の呼からＶｏＩＰ用の呼に変換を行う。また、ＩＰ選択部２０はＩＰ記憶部１８に格納されているデータを参照し、稼動している呼制御サーバの中で、優先順位の最も高いものを接続部２２へ通知する。接続部２２はＩＰ選択部２０より通知された呼制御サーバに対して呼の送信を行う（ステップＳ２６）。呼制御サーバ１３の呼制御部１４は受信した呼を解析し、呼制御サーバ１３の代理記憶部１６またはＤＢサーバ９のＩＤ記憶部１０の情報を参照して、送信先のＶｏＩＰ端末３のアドレスを取得する。呼制御部１４は取得したアドレスを参照して、ＶｏＩＰ端末へ呼を転送する（ステップＳ２７）。
【００３２】
図４は、ＶｏＩＰ端末から公衆網端末へ発信する際の手順を示したフローチャートである。図４において、ＶｏＩＰ端末から公衆網端末へ発信する際、ＩＰ選択部６はＩＰ記憶部８に格納されているデータを参照し、稼動している呼制御サーバのなかで、優先順位の最も高いものを受発信部４へ通知する。受発信部４はＩＰ選択部６より通知された呼制御サーバに対して呼の送信を行う（ステップＳ２８）。次に、呼制御部１４が呼を受信する（ステップＳ２９）。ここで、呼制御部１４は代理記憶部１６またはＩＤ記憶部１０の情報を参照して、稼動している呼接続サーバのなかで、優先順位の最も高いものを呼制御部１４へ通知する。呼制御部１４は取得したアドレスを参照して、接続部２２へ呼を転送する（ステップＳ３０）。接続部２２が呼を受信したら、ＶｏＩＰ用の呼から公衆網用の呼に変換を行い、公衆網へ発信する（ステップＳ３１）。
【図面の簡単な説明】
【００３３】
【図１】ＶｏＩＰの音声通話通信システムの全体を示した概念図である。
【図２】インターネット網の図示を省略してＶｏＩＰ通信システムの構成を示したブロック図である。
【図３】公衆網端末からＶｏＩＰ端末へ発信する際の手順を示したフローチャートである。
【図４】ＶｏＩＰ端末から公衆網端末へ発信する際の手順を示したフローチャートである。
【符号の説明】
【００３４】
１    公衆網端末
２    音声通話通信システム
３    ＶｏＩＰ端末
９    ＤＢサーバ
１３  呼制御サーバ
１７  呼接続サーバ
１００  公衆電話網
２００  インターネット網
【図１】
2006157368.tif 000003
【図２】
2006157368.tif 000004
【図３】
2006157368.tif 000005
【図４】
2006157368.tif 000006